(57)【要約】【課題】  水密性に優れ照明器具等において良好な防水性を発揮する管内水密配線構造、さらには、その構造を備える防水性能に優れる照明器具を提供する。【解決手段】  管２１内において配線穴１２が形成された円形の弾力性プレート３を両側面に配置した一対の固定プレート９、１０で押圧固定し、その押圧力により弾力性プレート３を変形して管２１内周面に密着固定させるとともに配線穴１２の配線コード４０に密着させる管内密封配線構造において、固定プレート９、１０それぞれの弾力性プレート３に相対する側の周縁位置に沿って弾力性プレート３へ当接する堤部１７が設けられ、さらに、固定プレート３それぞれの弾力性プレート３に相対する側の配線穴１２の周囲位置に沿って弾力性プレート３へ当接する堤部１８が設けられてなるもの。【選択図】図６
2011159616.tif 000002
【特許請求の範囲】
【請求項１】
管内において配線穴が形成された円形の弾力性プレートを両側面に配置した一対の固定プレートで押圧固定し、その押圧力により弾力性プレートを変形して管内周面に密着固定させるとともに配線穴の配線コードに密着させる管内密封配線構造において、
前記固定プレートそれぞれの前記弾力性プレートに相対する側の周縁位置に沿って前記弾力性プレートへ当接する堤部が設けられてなることを特徴とする管内密封配線構造。
【請求項２】
管内において配線穴が形成された円形の弾力性プレートを両側面に配置した一対の固定プレートで押圧固定し、その押圧力により弾力性プレートを変形して管内周面に密着固定させるとともに配線穴の配線コードに密着させる管内密封配線構造において、
前記固定プレートそれぞれの前記弾力性プレートに相対する側の前記配線穴の周囲位置に沿って前記弾力性プレートへ当接する堤部が設けられてなることを特徴とする管内密封配線構造。
【請求項３】
管内において配線穴が形成された円形の弾力性プレートを両側面に配置した一対の固定プレートで押圧固定し、その押圧力により弾力性プレートを変形して管内周面に密着固定させるとともに配線穴の配線コードに密着させる管内密封配線構造において、
前記固定プレートそれぞれの前記弾力性プレートに相対する側の周縁位置に沿って前記弾力性プレートへ当接する堤部が設けられ、さらに、前記固定プレートそれぞれの前記弾力性プレートに相対する側の前記配線穴の周囲位置に沿って前記弾力性プレートへ当接する堤部が設けられてなることを特徴とする管内密封配線構造。
【請求項４】
前記固定プレートそれぞれの前記弾力性プレートに相対する側の固定穴の周囲位置に沿って前記弾力性プレートへ当接する堤部が設けられてなる請求項１、２または３記載の管内密封配線構造。
【請求項５】
請求項１、２、３または４記載の管内密封配線構造を備える照明器具。
【発明の詳細な説明】
【技術分野】
【０００１】  この発明は、照明器具等において用いられる管内水密配線構造に関する。
【背景技術】
【０００２】  屋外使用する照明器具として蛍光灯やＬＥＤ使用の棒状の照明具を透明の円筒管内に納めたものがあり（図５参照）、円筒管内に密封することで内部の照明具の防水を行っている。照明具からは管外に配線コードを導出する必要があり、そこに水密配線構造が施されている。この水密配線構造として、管内において配線穴が形成された円形の弾力性プレートを両側面に配置した一対の固定プレートで押圧固定し、その押圧力により弾力性プレートを変形して管内周面に密着固定させるとともに配線穴の配線コードに密着させる構成が採用されている。
【発明の概要】
【発明が解決しようとする課題】
【０００３】  しかしながら、上記水密配線構造においては現状満足な水密構造が得られず、照明具の防水機能が十分に果たされなかった。これは、固定プレートによる両側からの押圧力が弾力性プレートの全体に及ぶことで水密を必要とする部位において弾力性プレートの十分な変形が得られていないことに起因すると考えられる。【０００４】  この発明では、水密性に優れ照明器具等において良好な防水性を発揮する管内水密配線構造、さらには、その構造を備える防水性能に優れる照明器具を提供する。
【課題を解決するための手段】
【０００５】  この発明は、上記事情に鑑みてなしたもので、請求項１の発明では、管内において配線穴が形成された円形の弾力性プレートを両側面に配置した一対の固定プレートで押圧固定し、その押圧力により弾力性プレートを変形して管内周面に密着固定させるとともに配線穴の配線コードに密着させる管内密封配線構造において、前記固定プレートそれぞれの前記弾力性プレートに相対する側の周縁位置に沿って前記弾力性プレートへ当接する堤部が設けられてなることを特徴とする管内密封配線構造を提供する。請求項２の発明では、管内において配線穴が形成された円形の弾力性プレートを両側面に配置した一対の固定プレートで押圧固定し、その押圧力により弾力性プレートを変形して管内周面に密着固定させるとともに配線穴の配線コードに密着させる管内密封配線構造において、前記固定プレートそれぞれの前記弾力性プレートに相対する側の前記配線穴の周囲位置に沿って前記弾力性プレートへ当接する堤部が設けられてなることを特徴とする管内密封配線構造を提供する。請求項３の発明では、管内において配線穴が形成された円形の弾力性プレートを両側面に配置した一対の固定プレートで押圧固定し、その押圧力により弾力性プレートを変形して管内周面に密着固定させるとともに配線穴の配線コードに密着させる管内密封配線構造において、前記固定プレートそれぞれの前記弾力性プレートに相対する側の周縁位置に沿って前記弾力性プレートへ当接する堤部が設けられ、さらに、前記固定プレートそれぞれの前記弾力性プレートに相対する側の前記配線穴の周囲位置に沿って前記弾力性プレートへ当接する堤部が設けられてなることを特徴とする管内密封配線構造を提供する。請求項４の発明では、前記固定プレートそれぞれの前記弾力性プレートに相対する側の固定穴の周囲位置に沿って前記弾力性プレートへ当接する堤部が設けられてなる請求項１、２または３記載の管内密封配線構造を提供する。請求項５の発明では、請求項１、２、３または４記載の管内密封配線構造を備える照明器具を提供する。【０００６】  上記請求項１の発明の構成によれば、弾力性プレートに相対する側の周縁位置に沿って設けられた堤部により両側から押圧されることで弾力性プレートの周縁部分が外側方向に膨出するように変形する。その際、堤部よって押圧力が集中して及ぶことで弾力性プレートの周縁部分の外側方向への膨出変形が有効になされ、これにより、その部分が強固に管内面に密着して良好な水密性が得られる。【０００７】  上記請求項２の発明の構成によれば、弾力性プレートに相対する側の配線穴の周囲位置に沿って設けられた堤部により両側から押圧されることで弾力性プレートの配線穴の周囲部分が内側方向に膨出するように変形する。その際、堤部よって押圧力が集中して及ぶことで弾力性プレートの配線穴の周囲位置部分の内側方向への膨出変形が有効になされ、これにより、その部分が強固に配線穴内に位置する配線コードの外周面に密着して良好な水密性が得られる。【０００８】  上記請求項３の発明の構成によれば、請求項１と請求項２との発明の作用効果が併せ発揮され、弾力性プレートの外周と配線穴との位置それぞれにおいてともに良好な水密性が得られる。【００���９】  上記請求項４の発明の構成によれば、固定プレートそれぞれの弾力性プレートに相対する側の固定穴の周囲位置に沿って設けられた堤部により両側から押圧されることで弾力性プレートの固定穴の周囲位置部分が内側方向に膨出するように変形する。その際、堤部よって押圧力が集中して及ぶことで弾力性プレートの固定穴の周囲位置部分の内側方向への膨出変形が有効になされ、これにより、その部分が固定穴内に位置する固定ネジの外周面に強固に密着してさらに良好な水密性が得られる【００１０】  請求項５の発明の構成の照明器具は、管内密封配線構造の水密性が良好で防水性に優れる。
【発明の効果】
【００１１】  この発明によれば、水密性に優れ照明器具等において良好な防水性を発揮する管内水密配線構造が得られる。さらに、屋外使用等が支障なく行える防水性に優れる照明器具が得られる。
【図面の簡単な説明】
【００１２】
【図１】この発明の管内水密配線構造において用いる弾力性プレートの外面図
【図２】この発明の管内水密配線構造において用いる一方の固定プレートの外面図
【図３】この発明の管内水密配線構造において用いる他方の固定プレートの外面図
【図４】この発明の管内水密配線構造において用いるそれぞれの固定プレートの内面図
【図５】この発明の管内水密配線構造を用いる照明器具の部分斜視図
【図６】この発明の管内水密配線構造の断面構成図
【図７】この発明の管内水密配線構造の他の実施形態における固定プレートそれぞれの内面図
【図８】この発明の管内水密配線構造の他の実施形態の断面構成図
【図９】この発明の管内水密配線構造のさらに他の実施形態の断面構成図
【発明を実施するための形態】
【００１３】  管内水密配線構造１において用いる弾力性プレート３は、図１に示すように、円形でシリコンゴムよりなり、その中央に配線穴５が形成されるとともにその周囲の４箇所に固定穴４を備え、その両面の形態は同一となっている。
【００１４】  図２は照明器具において外側に使用する固定プレート９の外面を示し、図３は内側に使用する固定プレート１０の外面を示し、図４は固定プレート９、１０の弾力性プレート３に相対する内面を示す。固定プレート９、１０は円形でポリカーボネート樹脂よりなり、その中央に配線穴１２が形成されるとともにその周囲の４箇所に固定穴１４を備え、その内面には周縁位置に沿って弾力性プレート３へ当接する環状の堤部１７が、配線穴１２の周囲位置に沿って弾力性プレート３へ当接する環状の堤部１８がそれぞれ突設されている。固定プレート９、１０の外面の配線穴１２の周囲には環状の配線ガイド部１５が突設され、固定プレート１０の外面の固定穴１４の縁部には固定ネジ２６の６角の頭部２５の嵌め込み凹所１９が設けられている。
【００１５】  図５は管内水密配線構造１を備える照明器具２０を示し、図６は管内水密配線構造１部分の断面図である。
【００１６】  ２１は照明器具２０の透明の外装円筒管であり、内部に蛍光灯やＬＥＤよりなる照明具２２が配置され、その端部開口を密封状態において配線するように管内水密配線構造１が設けられている。すなわち、外装円筒管２１内に弾力性プレート３の両側面に固定プレート９、１０のそれぞれが配置され、頭部２５が固定プレート１０の嵌め込み凹所１９に嵌め込まれ固定穴１４、固定穴４、固定穴１４を順次挿通された固定ネジ２６それぞれの端部に固定ナット２８それぞれが装着され締め付けられている。
【００１７】  上記の固定ナット２８それぞれの締め付けにより、固定プレート９、１０それぞれの堤部１７により両側から押圧されることで弾力性プレート３の周縁部分３０が外側方向に膨出するように変形し、その部分が外装円筒管２１の内面に強固に密着する。また、固定プレート９、１０それぞれの堤部１８により両側から押圧されることで弾力性プレート３の配線穴５の周囲位置部分３１が内側方向に膨出するように変形し、その部分が配線穴５内に位置する配線コード４０の外周面に強固に密着する。堤部１７、１８により集中して押圧力が及ぶことで弾力性プレート３の対応部分の膨出変形が有効になされ、弾力性プレート３の外周と配線穴１２との両位置において従来に比して良好な水密性が得られ、これにより照明器具２０の防水性能が高められている。この照明器具２０にさらに他の照明器具を配線コードにより接続使用する場合には、照明器具２０の逆側の端部においても同様の管内水密配線構造１が設けられ、接続されない場合には配線穴を備えない水密構造が設けられる。
【００１８】  図７、図８は他の実施形態を示し、このものでは上記の固定プレート９、１０において、さらに弾力性プレート３に相対する側の固定穴１４それぞれの周囲位置に沿って弾力性プレート３へ当接する堤部５０が設けられたものを用いている。これにより固定ナット２８の締め付けにより固定プレート９、１０それぞれの堤部５０により両側から押圧されることで弾力性プレート３の固定穴４の周囲位置部分５１が内側方向に膨出するように変形し、その部分が固定穴４内に位置する固定ネジ２６の外周面に強固に密着する。これによりさらに良好な水密性が得られる。
【００１９】  上記それぞれの実施形態においては、固定ネジ２６としてネジ部が途中まであるものを使用したが、総ネジ構成の固定ネジ２６を使用する場合は固定穴４部分での水密性が低下する恐れがあるが、図９に示すように、その場合はＯリング６０を用いることで水密性が確保される。
【符号の説明】
【００２０】１    管内水密配線構造
３    弾力性プレート
５    配線穴
９    固定プレート
１０  固定プレート
１７  堤部
１８  堤部
２０  照明器具
２１  外装円筒管（管）
４０  配線コード
【図１】
2011159616.tif 000003
【図２】
2011159616.tif 000004
【図３】
2011159616.tif 000005
【図４】
2011159616.tif 000006
【図５】
2011159616.tif 000007
【図６】
2011159616.tif 000008
【図７】
2011159616.tif 000009
【図８】
2011159616.tif 000010
【図９】
2011159616.tif 000011